(57)【要約】【課題】  深堀形態の溝を予め形成した圃場土壌面を耕耘、畝立成形して、作物栽植用畝を形成する作業機を溝の方向に沿って追従させて行わせることができ、整然とした畝を形成する。【解決手段】  トラクタ車体（１）の後方に耕耘爪（２）ロータ（３）と、この耕耘土壌面を畝立て成形する畝立器（４）と、この畝立土壌面に播種、又は植付作業する作業装置（５）を装着する共に、前記耕耘爪ロータ（３）の前側には予め深堀に形成された播植溝（Ａ）部の上側部に位置して、又は、この播植溝（Ａ）部内に嵌合して、回転しながら鎮圧する鎮圧輪（６）を設けたことを特徴とする作業機とする。【選択図】図１
2014103909.tif 000002
【特許請求の範囲】
【請求項１】
トラクタ車体（１）の後方に耕耘爪（２）ロータ（３）と、この耕耘土壌面を畝立て成形する畝立器（４）と、この畝立土壌面に播種、又は植付作業する作業装置（５）を装着する共に、前記耕耘爪ロータ（３）の前側には予め深堀に形成された溝（Ａ）部の上側部に位置して、又は、この溝（Ａ）部内に嵌合して、回転しながら鎮圧する鎮圧輪（６）を設けたことを特徴とする作業機。
【請求項２】
前記鎮圧輪（６）の横側部には、前記溝（Ａ）上側部近傍の土壌を側方へ排土する排土板（７）を設けたことを特徴とする請求項１に記載の作業機。
【請求項３】
前記畝立器（４）は、左右の培土側板（８）間に形成の天板（９）形態は、前記溝（Ａ）の溝幅に対向する中央天板部（１０）を、この左右両側の側部天板部（１１）よりも高く形成することを特徴とする請求項１又は請求項２に記載の作業機。
【請求項４】
前記鎮圧輪（６）の前側には、前記溝（Ａ）の上側部の土壌を掻き均す掻均板（１２）を設けたことを特徴とする請求項１から請求項３いずれかに記載の作業機。
【発明の詳細な説明】
【技術分野】
【０００１】
この発明は、深堀形態の溝を予め形成した圃場土壌面を耕耘、畝立成形して、作物栽植用畝を形成する作業機である。
【背景技術】
【０００２】
予めトレンチャーで堀削溝（溝）を形成し、この堀削溝にガイド体を挿入して案内させながら畝立、播種する技術（例えば、特許文献１参照）が知られている。
【先行技術文献】
【特許文献】
【０００３】
【特許文献１】特開２０１１−４６号公報
【発明の概要】
【発明が解決しようとする課題】
【０００４】
畝立作業前の圃場面に予め形成される深堀形態の溝部は、内部に土壌が埋戻されていても、培土器や畝立器等によって形成された畝の頂部は、前記溝部の土壌層が沈下してこの部分で窪み易く、この溝部の上部に形成される畝上面に沿って沈下溝が形成されて、この溝面に水が溜り易くなり、又、この播種溝部内への土壌の充填度合等によって作物生育の不均衝を生じ易いものである。
【課題を解決するための手段】
【０００５】
請求項１に記載の発明は、トラクタ車体（１）の後方に耕耘爪（２）ロータ（３）と、この耕耘土壌面を畝立て成形する畝立器（４）と、この畝立土壌面に播種、又は植付作業する作業装置（５）を装着する共に、前記耕耘爪ロータ（３）の前側には予め深堀に形成された溝（Ａ）部の上側部に位置して、又は、この溝（Ａ）部内に嵌合して、回転しながら鎮圧する鎮圧輪（６）を設けたことを特徴とする作業機の構成とする。
【０００６】
請求項２に記載の発明は、前記鎮圧輪（６）の横側部には、前記溝（Ａ）上側部近傍の土壌を側方へ排土する排土板（７）を設けたことを特徴とする請求項１に記載の作業機。
請求項３に記載の発明は、前記畝立器（４）は、左右の培土側板（８）間に形成の天板（９）形態は、前記溝（Ａ）の溝幅に対向する中央天板部（１０）を、この左右両側の側部天板部（１１）よりも高く形成することを特徴とする請求項１又は請求項２に記載の作業機とする。
【０００７】
請求項４に記載の発明は、前記鎮圧輪（６）の前側には、前記溝（Ａ）の上側部の土壌を掻き均す掻均板（１２）を設けたことを特徴とする請求項１から請求項３いずれかに記載の作業機とする。
【発明の効果】
【０００８】
請求項１に記載の発明は、耕耘爪ロータ３の前側に位置する鎮圧輪６を、予め土壌面に形成されている溝Ａに嵌合させて、畝立て成形作業の推進を案内させるものであるから、この鎮圧輪６の回動によって溝Ａの土壌面が鎮圧されると共に、鎮圧輪６が溝Ａ内を嵌合案内される案内作用によって、後続の耕耘爪ロータ３による耕耘作業や、畝立器４による畝立作業等を、溝Ａの方向に沿って追従させて行わせることができ、整然とした畝を形成することができる。又、前記耕耘爪ロータ３や、畝立器４等を、作業幅中央部の鎮圧輪６に対して左右対称状形態に構成する場合は、後続の畝立器４によって形成される畝土壌面が、中央部の溝Ａに対して左右対称状形態に成形されて、畝上面に播種、乃至埋込植付させた植物の直下に溝Ａ内部の土壌への伸根性を良好に行わせて、生育性を高めることができる。又、前記のように、鎮圧輪６によって溝Ａ内の土壌が鎮圧されると、この溝Ａの上部に培土成形された畝頂面の局部的沈下が生じ難く、窪みや、水溜部等を生じ難い、安定した畝形態を成形維持することができ、均一な作物を生育を行わせることができる。しかも、前記のように耕耘爪ロータ３の前側位置に鎮圧輪６を設けることにより、鎮圧輪６自体が溝Ａ案内の機能を共有して、きわめて簡単な構成によって、この鎮圧輪６を溝Ａ上側部に嵌合させて鎮圧させることにより、作業操作を簡単、容易にして、畝立作業操作性を容易化することができる。
【０００９】
請求項２に記載の発明は、前記のように作業時は耕耘爪ロータ３前側の鎮圧輪６が溝Ａの直上部に位置してこの溝Ａ部の土壌を鎮圧するが、これと同時に、この鎮圧輪６の左右外側部の排土板７が溝Ａの肩口部の土壌を削り取るようにして外側へ掻き寄せることによって、一旦この溝Ａの左右肩口部の土壌面高さを予め平坦状にして、後続の耕耘爪ロータ３によって耕耘し、この耕耘土壌を畝立器４によって畝立成形して、前記溝Ａ部を中心とした培土成形の均質な畝立土壌層を形成する。又、前記排土板７による排土作用によって、溝Ａを浅くして鎮圧輪６による鎮圧力をできるだけ深い溝底部に近い位置に有効に働かせることができ、畝立成形後の溝内土壌の沈下を少なくすることができる。しかも、溝Ａの肩口部の土壌層を深く幅広く柔い耕耘土壌として畝立土壌層を形成するものであるから、生育作物の溝Ａへの伸根性を良好に維持し、長物根菜類の栽培に好適である。
【００１０】
請求項３に記載の発明は、前記溝の上側部の形成される耕耘土壌による畝立土壌層は、溝Ａ直上部の畝頂面が中央天板部１０の幅によって幅狭く形成されて、この中央天板部１０による幅狭い平坦畝頂面を形成し易くすることができ、この上頂面の幅が狭いため、雨水の漏れても水はけが速かに行われて、水溜りを生じ難く、従って、溝Ａの直上部の畝立土壌層の沈下を少くすることができる。
【００１１】
請求項４に記載の発明は、掻均板１２によって掻き均した溝Ａの上側面を鎮圧輪６によって鎮圧するものであるから、溝Ａ内の鎮圧作用が均等に、安定して行われ、この鎮圧輪６におよる案内作用を正確に維持することができる。又、掻均板１２によって予め溝Ａ内の一部を充填して鎮圧するため、溝Ａ内の土壌密度を高めて土壌間孔隙を少くして、畝立後の畝頂面部の沈下を少くすることができる。
【図面の簡単な説明】
【００１２】
【図１】畝立装置を装着したトラクタの側面図。
【図２】その畝立工程を示す正面図（Ａ）、（Ｂ）、（Ｃ）。
【図３】畝立器部の背面図。
【図４】排土板を設けた畝立装置部の側面図。
【図５】その平面図。
【図６】その一部の正面図。
【図７】畝立器部の実施例を示す背面図。
【図８】その畝立工程を示す正面図（Ａ）、（Ｂ）、（Ｃ）。
【図９】掻均板を設けた形態の側面図（Ａ）、平面図（Ｂ）。
【図１０】鎮圧輪部の作動状態を示す平面図。
【図１１】リフトリンクに対する連結状態を示す側面図。
【図１２】マルチ押えディスクの配置形態を示す側面図。
【図１３】その平面図。
【図１４】マルチ押えディスクの配置形態を示す側面図。
【図１５】その平面図。
【図１６】マルチ押えディスクの配置形態を示す側面図。
【図１７】その平面図。
【発明を実施するための形態】
【００１３】
図面（主として図１〜図３）に基づいて、トラクタ車体１の後側にリフトリンク機構を介して畝立装置を連結する。なお、図１では作業機を作業姿勢と非作業姿勢の双方の状態を示している。
【００１４】
車体１は、ステアリングハンドル１５によって操向の前輪１６と、前部のボンネット１７下側に搭載のエンジンによってミッションケース１８内の伝動機構を介して伝動駆動される後輪１９を軸装２０し、フェンダ２１間の運転席２２に搭乗して運転操作する乗用四輪走行形態である。この車体１の後端には、油圧によって上下回動されるリフトアーム２３や、このリフトアーム２３とリフトロッド２４を介して連結されて上下回動されるロアリンク２５、及びトップリンク２６等が連結されて、リフトリンク機構が構成される。このリフトリンク機構の後端部に畝立装置上部の作業フレーム２７のヒッチ２８が、ヒッチピン２９で着脱可能に連結される。又、車体１の後端部にはＰＴＯ軸３０が設けられていて、このＰＴＯ軸３０と畝立装置の耕耘爪ロータ３の入力軸３１とを連動軸を介して連結して、耕耘伝動することができる。
【００１５】
前記畝立装置は、左右水平状に軸架された耕耘軸３２の周りに耕耘爪２を配置して、耕耘爪ロータ３を構成して、横幅広く耕耘することができる。この耕耘爪ロータ３の前側には左右幅方向の略中央部に位置して鎮圧輪６をアーム３３の下端部に軸３４で回転自在に軸支している。前記耕耘爪ロータ３の上側を覆うロータカバー３５の後端にはリヤカバー３６、及びこのリヤカバー３６の左右両側端部に一体的構成のサイドカバー３７を形成し、耕耘爪ロータ３によって耕耘された土壌の後方飛散を受けて、耕耘幅域の直下に落ち着かせて、この耕耘土壌面を所定の層厚に掻き均すものである。このリヤカバー３６の後側部の耕耘幅の略中央部に対向して畝立器４を設ける。又、このリヤカバー３６は左右両端側を横方向へ拡縮できる形態として、リヤカバー３６の横幅を調節できる。
【００１６】
前記畝立器４は、前記排土口３８にのぞませる前側の所定幅の培土板１４を有し、この培土板１４の後側部に左右両側部の培土側板８を背面視八の字状形態に設けて、かつ、この前端部間の間隔を後端部間の間隔よりも広く形成して、土壌の掬込培土性効果を高める形態としている。前記リヤカバー３６は、側面視断面形態を円弧状形態として、耕耘度上面を掻き均し易い形態としている。このリヤカバー３６の耕耘幅方向中央部には、耕耘土壌を後方へ排出させることのできる排土口３８を開設していて、前記畝立器４の培土側板８間隔部は、この排土口３８の後側部にのぞませる。この排土口３８の上側には、下動してこの排土口３８を閉鎖できる排土口カバー３９が設けられている。前記畝立器４を取付ないで、単なる耕耘作業のみ行うようなときは、この排土口３９を閉鎖状態にしておくことができる。又、このような掻き均し形態のリヤカバーに代えて、上下回動自在に取付た平板形態、乃至ゴム板形態の構成とすることもできる。
【００１７】
前記畝立器４は、作業フレーム２７に対して取付けた畝立フレーム４５を介して取付支持されるが、左右培土側板８間の上部に畝の上頂面を均平する天板９を左右水平形態に設けて、前記作業フレーム２７に対して上下摺動自在に支持させた摺動ロッド４０の下端部に連結して、この摺動ロッド４０周りに嵌挿するスプリング４１による弾下によって畝立土壌面に弾圧させている。又、この摺動ロッド４０をハンドル操作等によって昇降調節できる形態として、畝立器４の上下位置を調節するように構成して、畝立て土壌層に対する畝幅中央部の畝上面の高さを調節可能に構成することもできる。
【００１８】
前記畝立器４の左右外側部位置には、ゲージ輪４２を配置し、前記作業フレーム２７の後側上部のブラケット４３に挿通支持させたロッド４４の下端部に回転自在に設けている。このロッド４４を上下に移動することによって、ゲージ輪４２の高さを調節することができる。
【００１９】
作業装置５としては、播種、施肥装置や、根菜類植付装置、苗植装置等が利用、装着されるが、図例では、根菜類の種子を有した播種テープ４７をロール巻きにして播種リール４６に支持させておき、この播種リール４６から播種テープ４７を引出して、前記畝立器４によって成形された畝頂面に載せて固定する（図面省略）ことにより、播種する形態である。前記播種リール４６は、作業フレーム２７の後端部に取付けたホルダ４８によって支持される。
【００２０】
ここにおいて、トラクタ車体１の後方に耕耘爪２ロータ３と、この耕耘土壌面を畝立て成形する畝立器４と、この畝立土壌面に播種、又は植付作業する作業装置５を装着する共に、前記耕耘爪ロータ３の前側には予め深堀に形成された溝Ａ部の上側部に位置して、又は、この溝Ａ部内に嵌合して、回転しながら鎮圧する鎮圧輪６を設けたことを特徴とする畝立装置の構成とする。
【００２１】
トラクタ車体１後側のリフトリンク機構に鎮圧輪６や、耕耘爪ロータ３、畝立器４、及び播種、又は植付の作業装置５等を装着して、前方へ走行して畝立作業を行う。このとき耕耘ロータ３の前側に位置する鎮圧輪６を土壌面に予め形成されている溝Ａ上端部に嵌合させて牽引案内させながら、この溝Ａ内に土壌が落込んでいる場合は、この溝Ａ内の土壌を鎮圧する。このように前端部の鎮圧輪６が溝Ａ内に嵌合して鎮圧しながら案内されると、後側の耕耘爪ロータ３や、畝立器４等もこの鎮圧輪６の推進方向へ案内されて、前記溝Ａの左右両側部の土壌面が耕耘爪ロータ３によって耕耘される。又、この耕耘爪ロータ３によって耕耘された耕耘土壌は、畝立器４によって培土畝立成形される。このような鎮圧輪６や耕耘爪ロータ３、及び畝立器４等を、トラクタ車体１の走行方向のセンタラインに対して左右対称状形態に配置されている場合は、前記畝立器４による畝立が、この溝Ａに対して左右対称的形態に成形される。このようにして形成された畝土壌の頂面部には、播種装置による播種が行われたり、移植、乃至植付装置による苗植付作用や、根菜類の挿込作用等が行われる。
【００２２】
前記作業フレーム２７の中央上部に形成のマスト４９には、ベルクランク５０がヒンジピン５１で回動自在に設けられて、このベルクランク５０の先端部を、トップリンク２６に対してピン５２で連結したり、又は、このピン５２を外して連結を外すことができるように切替えできる形態としている。前記ベルクランク５０をトップリンク２６に連結した状態では、リフトアーム２３を上昇することにより、畝立、作業装置は、前後の傾斜変動を少くした姿勢で土壌面と略平行状態を維持して昇降されるが、前記ベルクランク５０をトップリンク２６から連結を外すことによって、後側部のゲージ輪４２や、畝立器４に対する前側部の鎮圧輪６や耕耘爪ロータ３部等の上昇高さを大きくして、畝立装置全体を前上り傾斜姿勢にすることができる。
【００２３】
従って、前側の鎮圧輪６と後側のゲージ輪４２とで、耕耘爪ロータ３、及び畝立器４等からなる畝立装置全体を支持した形態であるため、前記ベルクランク５０の連結を外すことによって、畝立装置の上下揺動を自由にした状態でロアリンク２５により牽引させることができる。この状態で更にリフトアーム２３を昇降して鎮圧輪６の鎮圧力を調整変更し、又、鎮圧輪６を昇降することができる。又、前記ベルクランク５０を連結状態とする場合は、リフトアーム２３の昇降によって畝立装置の作業位置（高さ）を昇降調整、乃至変更することができる。
【００２４】
前記鎮圧輪６を軸装するアーム３３は、作業フレーム２７前端部の上下回動自在に軸５３で支持され、このアーム３３と上方のリフトリンク機構との間はリンクロッド５４で連結して、前記リフトアーム２３の上下動で鎮圧輪６を溝Ａの深さ等に応じて上下に移動して、鎮圧力を調節できるように構成している。
【００２５】
次に、主として図４〜図６に基づいて、前記鎮圧輪６の横側部には、前記溝Ａ上側部近傍の土壌を側方へ排土する排土板７を設ける。
前記溝Ａの上端土壌部、即ち、溝Ａの左右両肩口部の土壌面は、鎮圧輪６が溝Ａ直上部の土壌を鎮圧すると同時に、排土板７によって削り取られるようにして溝Ａの左右外側方へ排土、乃至掻き寄せられて、この溝Ａ肩部の土壌上端面が一定高さに揃えられた状態となり、この状態で耕耘爪ロータ３による耕耘作用が行われ、更に畝立器４による畝立作用が行われて、この溝Ａ上部を中心部とした左右対称状で、台形状断面形態の畝土壌層が成形される。このようにして畝立器４による畝立作用によって畝幅中央部の溝Ａの直上部から左右両側部にわたって形成された畝土壌層上面部で、この溝Ａ直上部の畝頂面に作業装置５による播植が行われる。
【００２６】
前記排土板７は、鎮圧輪６の左右両側に接近させて、前端縁が鎮圧輪軸３４端部よりも前側に位置して鎮圧輪６の外側面に接近し、後端縁が鎮圧輪軸３４端部よりも後側に位置する関係にして、平面視略八字状の形態にして、この鎮圧輪６のフォーク状アーム３３の外側部に一体的に取付ている。この排土板７の傾斜角度は調節変更できるように構成することも可能である。又、この前端縁は鎮圧輪６の嵌合鎮圧する溝Ａの内側位置にのぞませ、後端縁はこの溝Ａの外側に適宜離間した溝肩位置の土壌面上位置にのぞむように設定して、排土性を良好に行わせるように構成すると好適である。又、この排土板７の下端縁は、鎮圧輪６の接地下端面と略同位置の高さに設定しているが、土壌面を削り取るため、鎮圧輪６の下端面よりも低くしたり、又は高くした位置に設定することも可能であり、更には、この高さ位置を変更、調節可能の構成とすることもできる。
【００２７】
前記鎮圧輪６のアーム３３は、前記作業フレーム２７に対して上下回動可能に装着されるブラケット５３に対して、上下方向のロッド５４の周りに回動自在に設けて、キャスタ形態に構成することが可能である。又、前記ロッド５４をセットピンの抜き差しによって鎮圧輪６、又は排土板７の高さ位置を調節できる構成としている。
【００２８】
次に、主として図７、図８に基づいて、前記畝立器４は、左右の培土側板８間に形成の天板９形態は、前記溝Ａの溝幅に対向する中央天板部１０を、この左右両側の側部天板部１１よりも高く形成して、中高形態の畝を形成する。
【００２９】
前記のように鎮圧輪６によって溝Ａ上部を鎮圧しながら、この鎮圧後の溝Ａ、及びこの左右両側溝肩口部に亘る表層部の土壌面を耕耘爪ロータ３によって耕耘し、更に、この耕耘土壌を畝立器４によって溝Ａ上部に畝立土壌層を形成するもので、この畝立器４の培土側板８によって培土される土壌層は、畝上面が天板９によって押圧されて均平状態とすることができるが、この天板９を畝幅左右両側部の側部天板部１１と、この畝幅中央部の中央天板部１０とによって中高形態に構成して均平するものであるから、前記中央部の溝Ａの直上部に、中央天板部１０で均平される畝頂面が形成される。この中央天板部１０で成形された最も高い畝頂面に作業装置５による播植作用を行わせることができる。
【００３０】
前記中央天板部１０は、この畝立器４上部との間に設ける調節ロッド５７を伸縮調節することによって、側部天板部１１に対して上下移動調節可能の形態とすることもでき、畝の大きさや、作物の状態等に合わせることができる。
【００３１】
次に、主として図９に基づいて、前記鎮圧輪６の前側には、前記溝Ａの上側部の土壌を掻き均す掻均板１２を設ける。
前記鎮圧輪６が溝Ａの上側部の鎮圧する直前行程で、この鎮圧輪６の前側に位置する掻均板１２が、この溝Ａの上端部内、乃至上端肩口部等の土壌層部を掻き均して、この掻均板１２によって掻き均す一部の土壌は溝Ａ内に落し込み、余った土壌は外側へ掻き寄せるようにして、溝Ａの左右両肩口部の土壌面を掻き均して、畝立て作用直前の溝Ａ部の位置する土壌面をできるだけ平坦化するように成形する。前記鎮圧輪６は、このようにして溝Ａ内に入った土壌面を平面状に均した状態で、鎮圧輪６を通して鎮圧する。この鎮圧輪６で鎮圧された溝Ａ、及びこの左右両側部の土壌面は、耕耘爪ロータ３によって耕耘され、更に畝立器４によって畝立成形される。又、掻均板１２によって溝Ａの左右外側方へ押寄せられた土壌は、この溝Ａの左右両肩口部の外側に位置して、後続の耕耘爪ロータ３による耕耘作用を受けることとなる。
【００３２】
前記掻均板１２は、鎮圧輪６の前側を舳先のように中央前端部を尖らせた板先６０を形成して、この板先６０から鎮圧輪６の鎮圧輪軸３４の左右両外側端部位置に亘って斜め方向に排土板面６１を形成して、前記鎮圧輪６で鎮圧する溝Ａ部に土壌がある場合は、この溝Ａ部の土壌と共に、溝Ａの溝口肩部の土壌層をも適宜の深さ（厚さ）にすき取るようにして、溝Ａの左右外側へ排土、乃至培土する。溝Ａの左右溝口肩部の高さを一定に揃えて、鎮圧輪６の鎮圧深さを一定に維持する。
【００３３】
又、この掻均板１２は、前記左右幅方向の中央部に板先６０を形成しないで、単なる左右方向直板形態の掻均板１２として、左右直交状、乃至左右一側へ傾斜する傾斜形態に構成することも可能である。
【００３４】
前記作業フレーム２７を連結するロアリンク２５後端部であるヒッチピン２９の下側部に着脱可能に構成される取付ブラケット６２に、直垂下方向の取付アーム６３を設けて、この下端部に鎮圧輪６を軸支する前記アーム３３をピン６４で上下揺動可能に枢支する。このアーム３３の上側部には、後端部をピン６４よりも高い位置にピン６５で枢支し、前端部を鎮圧輪軸３４に連結支持するダンパー６６を構成している。又、前記取付ブラケット６２の上方部には、ハンドル６７の回動操作によって上下方向に伸縮可能の伸縮ロッド６８を設け、この伸縮ロッド６８の下端部を、前記アーム３３にピン６９連結して、鎮圧輪６や、掻均板１２の高さ位置を調節することができる。
【００３５】
次に、主として図１０に基づいて、トラクタ車体１の後部に連結７０のロアリンク２５の後端部内側に、アーム７１、自在メタル７２、及びキャスタ軸７４アーム３３側のロッド７３等を設けて、アーム７１に対してロッド７３の方向を左右回動可能に構成して、前記鎮圧輪６が溝Ａに嵌合案内されることにより、この鎮圧輪６がキャスタ軸７４の周りに左右方向へ揺動自在の構成としている。このため、車体１の中心Ｐが予めトレンチャーで形成されている溝Ａに対して、左右方向に偏位したずれＭを生じたときは（図Ｂ）、鎮圧輪６はこのずれ方向とは反対の方向へ鎮圧輪６向きの角度を操向して（図Ａ）、トラクタ車体１のずれ方向に畝立作業装置が移動するのを防止する。このため、トラクタの左右方向位置のずれによる影響を少くして作業機を直進させることができる。
【００３６】
次に、主として、図１１に基づいて、前記鎮圧輪６と後部のゲージ軸４２とで畝立装置全体を支持して、推進できるように、車体１に対して牽引状態に装着する形態において、マスト４９の先端部に前記ベルクランクに代えるマストアーム５０を上下回動可能にマストピン７５枢支し、このマストアーム５０を、マスト４９のピン孔７６と、このマストアーム５０のピン孔７７との間に亘って挿込むセットピン７８の抜き差しによって、このマストアーム５０に配置のピン孔７７位置を選択して、このマストアーム５０の先端の連結ピン５２位置を、上方位置（ａ）、又は下方位置（ｂ）に変更調節して固定状態にすることができる。又、前記セットピン７８を差し込まない場合は、マストアーム５０はマストピン７５周りに回動自在のフリー状態となる。このように、マスト４９先端部のマストアーム５０をフリー状態にすることによって、畝立装置は前記ロアリンク２５による牽引状態となる。又、マストアーム５０を角度選して固定状態にすることによって、畝立装置作業機の迎い角度を適宜に選択して、前記リフトアーム２３の昇降回動によってリフトアップすることができる。マストアーム５０をａ方向へ回動して固定すると作業機を高くリフトアップできる。又、ｂ方向に固定すると、低く（平行状態で）リフトアップできる。
【００３７】
次に主として、図１２〜図１７に基づいて、前記耕耘爪ロータ３の後側部を覆うリヤカバー３６と、播植後の畝上面を被覆するマルチフィルムに固定用土壌を載せるマルチディスク８０との関係を説明する。畝立器４等を装着する作業フレーム２７の後方にマルチフィルムの左右両側部を畝土壌面に押え付ける押え輪８１を押えアーム８２の後端部に回転自在に取付ける。又、マルチディスク８０を回転自在に支持するマルチアーム８３を後方へ突出させて、前記押え輪８１で押えたマルチフィルム８０の側縁部上面に、マルチディスク８０の回転によって掬い上げた土壌を載せて、マルチフィルムの敷設状態を固定する。
【００３８】
又、前記耕耘爪ロータ３を覆うロータカバー３５の後側部のリヤカバー３６は、畝立器４の連結される中央部の排土口３８の左右両側部に設けられる側部カバー８４部が、外側のサイドカバー３７部から内側の排土口３８部に亘って斜後方位置へ向けて傾斜状態に形成されて、耕耘爪ロータ３の左右外側寄位置で耕耘される土壌を、この側部カバー８４の傾斜面に沿わせて中央部の排土口３８部側へ土寄せ案内し易く構成している。又、このリヤカバー３６は、中央部の内部カバー８５と分割可能の形態として、リヤカバー３６のうち一部の側部カバー８４を着脱したり、内部カバー８５に対して外側へ伸縮可能に設けて、リヤカバー８５の耕耘土壌の排出される排土口部の幅を変更することができる。
【００３９】
図１２、図１３では、左右外側部の側部カバー８４を取外して、内部カバー８５のみを残して、この内部カバー８５の後方位置に対応して、マルチフィルム上面に培土するマルチフィルム８０を一箇宛配置している。又、図１４、図１５では、前記内部カバー８５を幅広く形成して、側部カバー８４を幅狭く形成している。この側部カバー８４を取外して、内部カバー８５の後方部に対向して、前記押え輪８１の外側部に二連のマルチディスク８０を配置して、土壌を中央部の敷設マルチフィルムの上側縁部に載置する。又、図１６、図１７では、リヤカバー３６は、前記側部カバー８４を取付けて耕耘爪ロータ３の全耕耘幅亘って広く形成して、この後方に対向して三連のマルチディスク８０を配置して、幅広く土壌を中央部側のマルチフィルム上面へ掻き寄せて載せるものである。乃至は、この掻き寄せる土壌の一部のみを載せることもできる。
【００４０】
このように、各マルチフィルム８０は、前方のリヤカバー３６で掻き均された跡の上側方部の土壌上面を掻き削りながら、中央側のマルチフィルム側縁部へ掻き寄せるものであるから、前側のリヤカバー３６が前記側部カバー８４取外等によってカバーなし状態になると、この側部カバー８４の欠除された部分から後側へ直接排出される耕耘土壌層が厚くなり、この部分の土壌寄量が多くなり、マルチディスク８０による土壌寄効果、上載せ効果を高めることができる。
【符号の説明】
【００４１】
１    トラクタ車体
２    耕耘爪
３    ロータ
４    畝立器
５    作業装置
６    鎮圧輪
７    排土板
８    培土側板
９    天板
１０    中央天板部
１１    側部天板部
１２    掻均板
【図１】
2014103909.tif 000003
【図２】
2014103909.tif 000004
【図３】
2014103909.tif 000005
【図４】
2014103909.tif 000006
【図５】
2014103909.tif 000007
【図６】
2014103909.tif 000008
【図７】
2014103909.tif 000009
【図８】
2014103909.tif 000010
【図９】
2014103909.tif 000011
【図１０】
2014103909.tif 000012
【図１１】
2014103909.tif 000013
【図１２】
2014103909.tif 000014
【図１３】
2014103909.tif 000015
【図１４】
2014103909.tif 000016
【図１５】
2014103909.tif 000017
【図１６】
2014103909.tif 000018
【図１７】
2014103909.tif 000019